(57)【要約】【課題】回転方向の切換およびソケットの離脱を迅速に行うことができるソケットレンチを提供する。【解決手段】プッシュピン３０に切換装置４０を設け、切換装置４０の片側に前後一対の収納槽４１を設け、収納槽４１はそれぞれ対応する押圧部材４２を設け、押圧部材４２はストッパー５０を押し上げ、プッシュピン３０が押された時、押圧部材４２は交互に収納槽４１内に引っ込み、ストッパー５０の偏る方向を決め、回転方向を切り換えることにより、ソケット６５の離脱と同時に回転方向の切換を可能にし、また、ストッパー５０が回転方向を切り換える時、異なる側の押圧部材４２の押し付けを受け回転するため、１ヵ所に力が集中して磨耗や故障することを防止できる。【選択図】図２
0003123425.tif 000002
【実用新案登録請求の範囲】
【請求項１】
ヘッド部分、駆動体、プッシュピン、切換装置、食い違い構造およびストッパーを備えるソケットレンチであって、
前記ヘッド部分は、内部に前記駆動体を有し、
前記プッシュピンは、前記ヘッド部分および前記駆動体の間を貫通して、
前記切換装置は、前記プッシュピン上に設けられ、
前記食い違い構造は、前記切換装置上に設けられ、前記ストッパーと連動していて、前記プッシュピンが押されたとき、前記切換装置が交互に前記ストッパーの偏る方向を決め、該ストッパーが偏り固定されることにより回転方向の切換を行うことを特徴とする回転方向の切換およびソケットの離脱が迅速に行えるソケットレンチ。
【請求項２】
前記食い違い構造は、前記切換装置の片側に前後一対の収納槽を有し、
前記収納槽は、それぞれ対応する押圧部材を有し、
前記一対の押圧部材は、それぞれ片側が前記ストッパーを押し上げ、前記プッシュピンが押された時、前記押圧部材は交互に前記収納槽内に引っ込み、前記ストッパーの偏る方向を決めることを特徴とする請求項１記載の回転方向の切換およびソケットの離脱が迅速に行えるソケットレンチ。
【請求項３】
前記駆動体の外部の片側に前記ストッパーを配置する定位面が設けられ、
該定位面は、貫通孔を有し、前記駆動体の内部の空間に接続して、前記押圧部材を前記貫通孔から突き出させることを特徴とする請求項１記載の回転方向の切換およびソケットの離脱が迅速に行えるソケットレンチ。
【請求項４】
前記プッシュピンと前記駆動体との間に第１スプリングが設けられ、前記プッシュピンが外部から力を受けていないとき、該プッシュピンを元の位置に戻すことを特徴とする請求項１記載の回転方向の切換およびソケットの離脱が迅速に行えるソケットレンチ。
【請求項５】
前記切換装置と前記駆動体との間に第２スプリングが設けられ、前記押圧部材が前記切換装置の前記収納槽から突き出したとき、該切換装置は、前記第２スプリングの弾力で元の位置に戻ることを特徴とする請求項１記載の回転方向の切換およびソケットの離脱が迅速に行えるソケットレンチ。
【請求項６】
前記プッシュピンは、プッシュブロックを有し、前記プッシュピンが押されたとき、前記プッシュブロックは前記切換装置内に入り、前記押圧部材を収納槽内から押し出すことを特徴とする請求項１記載の回転方向の切換およびソケットの離脱が迅速に行えるソケットレンチ。
【請求項７】
前記駆動体は、カバーにより前記ヘッド部分に固定されることを特徴とする請求項１記載の回転方向の切換およびソケットの離脱が迅速に行えるソケットレンチ。
【請求項８】
前記駆動体は、ソケットを装着するために、駆動塊を有し、前記駆動塊に入る前記プッシュピン先端にはへこみおよび突起部分が設けられ、ソケットを固定するために、前記駆動塊の左側に鋼球ボールが設けられ、前記プッシュピンを押すことにより、前記へこみおよび前記突起部分が対応する前記鋼球ボールの位置を変え、前記鋼球ボールが突き出たり、内縮したりするのを決めることを特徴とする請求項１記載の回転方向の切換およびソケットの離脱が迅速に行えるソケットレンチ。  
【請求項９】
前記押圧部材は、ボール、コイルバネおよび当接柱からなることを特徴とする請求項２記載の回転方向の切換およびソケットの離脱が迅速に行えるソケットレンチ。
【請求項１０】
前記定位面および前記ヘッド部分の内壁が半月形のヘッド固定空間を形成し、該ヘッド固定空間の両側は狭くなっていて、ストッパーが偏り押し付けることにより、回転方向を決めることを特徴とする請求項３記載の回転方向の切換およびソケットの離脱が迅速に行えるソケットレンチ。
【考案の詳細な説明】
【技術分野】
【０００１】
本考案は、回転方向の切換およびソケット離脱を迅速に行うことができるプッシュボタンを備えるレンチ、特に利用者の使い易さのため、ソケット離脱ボタンが回転方向の切換機能を兼ねるソケットレンチに関する。
【背景技術】
【０００２】
ハンドツールは、家庭や工場でよく見かける、なくてはならない工具であるが、その中でもレンチは最もよく使われており、使用範囲の広さおよび台湾におけるハンドツールの発展により、製品の種類、構造または品質において時代の最先端を邁進している。ハンドツールの生産業界は、ここ数年消費者の使いやすさを求め、操作が容易で、人間工学に基づいた製品を相次いで発表している。
【０００３】
レンチの中で、ソケットを使用するものをソケットレンチと呼ぶが、ソケットの離脱を容易にするため、従来の構造ではソケット離脱ボタンを備えるものが多かった。
【０００４】
使用者が素早く繰り返し往復回動ができるように、ソケットレンチに回転方向の切換レバーを備える従来技術もあった。切換レバーによりソケットレンチの回転方向が切換できた。
【０００５】
従来技術には、特許文献１の「ラチェットレンチの構造改良」があるが、ソケットレンチのヘッド部分にプッシュ式の離脱ボタンを設けられ、この離脱ボタンが押されると、ヘッド部分先端の鋼球ボールが内部に引っ込み、ソケットを離脱することができる。また、ヘッド部分には、左右に切換できる切換レバーが設けられ、ヘッド部分の回転方向を切換ることができる。
【０００６】
しかしながら、この従来のラチェットレンチは、ヘッド部分に設けた離脱ボタンおよび切換レバーの位置と操作方法が異なるため、使用者は操作時に戸惑ったり、一回の操作で２つの切換ができないという問題があった。また、２つの異なるボタンおよびレバーを備えることは、構造の複雑化および部品数の増加をもたらし、組み立て製造時に余計な手間を掛けてしまうため、使用者および生産者の両方にとり、決して好ましいことではなかった。
【０００７】
以上の問題を解決するために、従来技術にはもう１つのラチェットレンチがあった。特許文献２の「ラチェット歯を持たないラチェットレンチの構造改良」である。ラチェットレンチの離脱ボタンをヘッド部分に設けたが、そのボタンもプッシュボタンであった。この離脱ボタンは、左右に揺動可能であり、揺動方向により、内部の円柱形を呈したストッパーを調節し、ヘッド部分の回転方向の切換を制御する。
【０００８】
この従来のラチェットレンチは、離脱ボタンおよび切換レバーを１つにしたが、その操作方法は、依然としてプッシュ式および左右揺動切換であり、決して１つの簡潔な操作方法に変えたわけでなく、理想的な構造であると言えなかった。また、ストッパーは、止めている部分を揺動切換で変えることができないので、長期にわたる使用において、磨耗が生じ本来の機能を失ってしまう恐れがあった。
【０００９】
上記従来の２種類のラチェットレンチは、ともに不便さと欠点があったため、全体として見ると、実用性に乏しく、依然として改良の必要があった。
【特許文献１】中華民国特許番号第２８２７８４号
【特許文献２】中華民国特許番号第２４６１１１号
【考案の開示】
【考案が解決しようとする課題】
【００１０】
本考案の目的は、回転方向の切換およびソケットの離脱においての不便さと、ストッパーの磨耗を改善する回転方向の切換およびソケットの離脱を迅速に行うことができるソケットレンチを提供することである。
【課題を解決するための手段】
【００１１】
上記の課題を解決するために、本考案は、下記の特徴を有する回転方向の切換およびソケットの離脱を迅速に行うことができるソケットレンチを提供する。
１．請求項１に記載の回転方向の切換およびソケットの離脱が迅速に行えるソケットレンチは、ヘッド部分、駆動体、プッシュピン、切換装置、食い違い構造およびストッパーを備えるソケットレンチであって、前記ヘッド部分は、内部に前記駆動体を有し、前記プッシュピンは、前記ヘッド部分および前記駆動体の間を貫通して、前記切換装置は、前記プッシュピン上に設けられ、前記食い違い構造は、前記切換装置上に設けられ、前記ストッパーと連動していて、前記プッシュピンが押されたとき、前記切換装置が交互に前記ストッパーの偏る方向を決め、該ストッパーが偏り固定されることにより回転方向の切換を行うことを特徴とする。
２．請求項２に記載の回転方向の切換およびソケットの離脱が迅速に行えるソケットレンチは、請求項１の場合において、前記食い違い構造は、前記切換装置の片側に前後一対の収納槽を有し、前記収納槽は、それぞれ対応する押圧部材を有し、前記一対の押圧部材は、それぞれ片側が前記ストッパーを押し上げ、前記プッシュピンが押された時、前記押圧部材は交互に前記収納槽内に引っ込み、前記ストッパーの偏る方向を決めることを特徴とする。
３．請求項３に記載の回転方向の切換およびソケットの離脱が迅速に行えるソケットレンチは、請求項１の場合において、前記駆動体の外部の片側に前記ストッパーを配置する定位面が設けられ、該定位面は、貫通孔を有し、前記駆動体の内部の空間に接続して、前記押圧部材を前記貫通孔から突き出させることを特徴とする。
４．請求項４に記載の回転方向の切換およびソケットの離脱が迅速に行えるソケットレンチは、請求項１の場合において、前記プッシュピンと前記駆動体との間に第１スプリングが設けられ、前記プッシュピンが外部から力を受けていないとき、該プッシュピンを元の位置に戻すことを特徴とする。
５．請求項５に記載の回転方向の切換およびソケットの離脱が迅速に行えるソケットレンチは、請求項１の場合において、前記切換装置と前記駆動体との間に第２スプリングが設けられ、前記押圧部材が前記切換装置の前記収納槽から突き出したとき、該切換装置は、前記第２スプリングの弾力で元の位置に戻ることを特徴とする。
６．請求項６に記載の回転方向の切換およびソケットの離脱が迅速に行えるソケットレンチは、請求項１の場合において、前記プッシュピンは、プッシュブロックを有し、前記プッシュピンが押されたとき、前記プッシュブロックは前記切換装置内に入り、前記押圧部材を収納槽内から押し出すことを特徴とする。
７．請求項７に記載の回転方向の切換およびソケットの離脱が迅速に行えるソケットレンチは、請求項１の場合において、前記駆動体は、カバーにより前記ヘッド部分に固定されることを特徴とする。
８．請求項８に記載の回転方向の切換およびソケットの離脱が迅速に行えるソケットレンチは、請求項１の場合において、前記駆動体は、ソケットを装着するために、駆動塊を有し、前記駆動塊に入る前記プッシュピン先端にはへこみおよび突起部分が設けられ、ソケットを固定するために、前記駆動塊の左側に鋼球ボールが設けられ、前記プッシュピンを押すことにより、前記へこみおよび前記突起部分が対応する前記鋼球ボールの位置を変え、前記鋼球ボールが突き出たり、内縮したりするのを決めることを特徴とする。  
９．請求項９に記載の回転方向の切換およびソケットの離脱が迅速に行えるソケットレンチは、請求項２の場合において、前記押圧部材は、ボール、コイルバネおよび当接柱からなることを特徴とする。
１０．請求項１０に記載の回転方向の切換およびソケットの離脱が迅速に行えるソケットレンチは、請求項３の場合において、前記定位面および前記ヘッド部分の内壁が半月形のヘッド固定空間を形成し、該ヘッド固定空間の両側は狭くなっていて、ストッパーが偏り押し付けることにより、回転方向を決めることを特徴とする。
【考案の効果】
【００１２】
上述したことから分かるように、本考案のソケットレンチは、回転方向の切換およびソケットの離脱においての不便さと、ストッパーの磨耗を改善する回転方向の切換およびソケットの離脱を迅速に行うことができる。
【考案を実施するための最良の形態】
【００１３】
本考案的は、回転方向の切換およびソケットの離脱が迅速に行えるソケットレンチについてである。図１、２で示されるように、このソケットレンチは、一体成形されたヘッド部分１０、ヘッド部分１０内にある収納空間１０１、駆動体２０、プッシュピン３０、切換装置４０、ストッパー５０、カバー６１およびリング６２を含む。
【００１４】
駆動体２０は、片側に空洞がある円筒で、ヘッド部分１０の収納空間１０１内に収納され、その一方の側面はやや斜めに切られた定位面２１を持ち、定位面２１とヘッド部分１０の弧状の内壁との間の空間は半月形のヘッド固定空間２１１を形成し、ストッパー５０を収納する。定位面２１は、一対の貫通孔２１２を有し、駆動体２０の内部の空間に接続している。駆動体２０の空洞がないもう１つの片側には、駆動塊２２が凸状に設けられている。駆動塊２２内の軸孔２２１は、駆動体２０の内部の空間に接続していて、プッシュピン３０の先端が貫通するようになっている。軸孔２２１の側面には鋼球ボール２２２があり、鋼球ボール２２２は、プッシュピン３０の力で制御され、駆動塊２２の側面で突き出したり、内縮することによりソケットを固定したり離脱する機能を働かせる。
【００１５】
本考案の一実施形態において、ソケットを取り付ける部品として駆動塊２２を説明するが、当該技術を熟知する者は誰でも、その他のハンドツール部品で駆動塊２２に変えることができる。従って、このような簡単な変更は本考案の保護範囲に含まれる。
【００１６】
プッシュピン３０は、ヘッド部分１０および駆動体２０を貫通して、プッシュピン３０の上端はプッシュボタン３１になっている。プッシュボタン３１は、ヘッド部分１０から突き出しており、使用者が押すことにより切換動作が行われる。プッシュピン３０が外部から圧力を受けていない時、プッシュボタン３１は第１スプリング６３の弾力によりヘッド部分１０から突き出している。プッシュピン３０のもう一方には、突起部分３２１およびへこみ３２２が設けられ、プッシュピン３０は突起部分３２１から駆動体２０の先端にある駆動塊２２の軸孔２２１を貫通している。プッシュピン３０は、押されることにより突起部分３２１およびへこみ３２２が鋼球ボール２２２を突き出したり、内縮させたりする。プッシュピン３０のプッシュボタン３１の裏側にはプッシュブロック３３が備えられている。
【００１７】
切換装置４０は、プッシュピン３０に貫通され、駆動体２０内に収納されて、切換装置４０の下方に第２スプリング６４があり、外部から圧力を受けていない時には、定位置に固定される。切換装置４０は、食い違い構造を形成して、この食い違い構造は、定位面２１に前後一対の収納槽４１および収納槽４１に対応する押圧部材４２を含む。収納槽４１はその内側に斜面４１１が設けられている。押圧部材４２は、ボール４２１、コイルバネ４２２および当接柱４２３からなり、一対の押圧部材４２は、貫通孔２１２を貫通して、当接柱４２３がストッパー５０を押え付けている。収納槽４１は、押圧部材４２が突き出たり、引っ込んだりするのを制御することにより、ストッパー５０の偏る位置を決める。
【００１８】
ストッパー５０は、本考案の一実施形態では錐柱形を呈して、駆動体２０の定位面２１およびヘッド部分１０の収納空間１０１に囲まれたヘッド固定空間２１１内に収納され、半月形を呈したヘッド固定空間２１１内でヘッド部分１０を押え付けて、駆動体２０の回転方向を限定している。ストッパー５０の一端には固定部材５１が備えられているが、固定部材５１はストッパー５０が固定されるのを補助している。本考案の一実施形態ではストッパー５０は錐柱形を呈しているが、ストッパー５０は円錐形でも良いし、ヘッド部分１０の収納空間１０１に歯を設けて、ストッパー５０上には溝を付けて押えつける力をさらに強化することもできる。
【００１９】
本考案の一実施形態を組み立てる場合には、まず第２スプリング６４を駆動体２０内に配置し、切換装置４０を駆動体２０内に配置し、切換装置４０と第２スプリング６４とを接触させる。次に一対の押圧部材４２を貫通孔２１２から貫通させ、押圧部材４２の当接柱４２３を定位面２１から突き出させる。また押圧部材４２のボール４２１は、切換装置４０の収納槽４１に対応させる。そして、第１スプリング６３を駆動体２０内に配置し、プッシュピン３０を駆動体２０および切換装置４０を貫通させる。次に、突起部分３２１およびへこみ３２２を駆動体２０の駆動塊２２内に貫通させ、鋼球ボール２２２に接触させる。プッシュピン３０は第１スプリング６３の弾力を受けるため、プッシュボタン３１はヘッド部分１０から突き出ている。ストッパー５０を定位面２１に配置し、駆動体２０をヘッド部分１０の収納空間１０１内に収納し、カバー６１およびリング６２で駆動体２０を収納空間１０１内に固定させる。駆動塊２２だけカバー６１から凸出させる。本考案の一実施形態の組み立て完了後は、図２のとおりである。
【００２０】
図３から１０が示すように、食い違い構造の一対の押圧部材４２は、プッシュピン３０が押されたとき、交互に収納槽４１の内部に引っ込むが、引っ込まないもう一方の押圧部材４２は、ストッパー５０を押え付けて、ストッパー５０を片側に偏らせる。ストッパー５０が片側に偏らせられたときは、半月形のヘッド固定空間２１１の両側の狭い部分に位置し、駆動体２０の回転方向を決定する。プッシュピン３０が押されることにより押圧部材４２は、交互に収納槽４１の内部に引っ込むが、ストッパー５０を押し付ける押圧部材４２を切り換えることにより、ストッパー５０を回転させ、定位面２１および収納空間１０１と接触する部分を変えることにより、力が１ヵ所に集中して磨耗や故障を起こしてしまうことを防止する。
【００２１】
図３、４、５は、駆動体２０の回転方向が逆方向である状態を示したものである。図３のように、左側の押圧部材４２が切換装置４０の収納槽４１内に引っ込んだ時、切換装置４０は押圧部材４２のボール４２１の力を受け定位置に固定され、第２スプリング６４の弾力を受けない。定位置に固定されることにより、左側の押圧部材４２が切換装置４０の収納槽４１内に引っ込んだ状態となり、右側の押圧部材４２がストッパー５０を押し上げて左側に移動させ、ヘッド固定空間２１１の左側の狭い部分に固定させる。従って、駆動体２０が正方向に回転する場合、ストッパー５０はこれ以上左側に移動できないので、駆動体２０は、ストッパー５０の抵抗を受け、回転することができない。しかし、正方向にボルトを回転させることはできる。反対に、駆動体２０が逆方向に回転する場合、ストッパー５０は押圧部材４２を押し戻し、ヘッド固定空間２１１の中央の広い部分に位置し、駆動体２０が逆方向に回転するのを妨げない。また、この状態では、プッシュピン３０は外部からの力を受けていないため、第１スプリング６３がプッシュピン３０上のプッシュボタン３１をヘッド部分１０から突き出させ、プッシュピン３０の先端にある突起部分３２１が駆動塊２２の鋼球ボール２２２を押し上げることにより、鋼球ボール２２２が突き出し、駆動塊２２に被せられたソケットが固定される。
【００２２】
図６、７が示すように、使用者がプッシュピン３０上のプッシュボタン３１を押した時、第１スプリング６３の弾力に影響されずに、プッシュピン３０およびプッシュボタン３１はヘッド部分１０に押し込められる。このとき、プッシュピン３０は、へこみ３２２が鋼球ボール２２２に接触し、鋼球ボール２２２を内部に戻し、ソケットを取り外すことができる。また、プッシュボタン３１が押された時、プッシュピン３０のプッシュブロック３３が、切換装置４０の収納槽４１内の押圧部材４２のボール４２１を、収納槽４１の斜面４１１に沿って押し出し、切換装置４０が第２スプリング６４を圧縮して移動することにより、切換装置４０のもう１つの収納槽４１がもう１つの押圧部材４２に対応する。
【００２３】
図８、９、１０は、駆動体２０の回転方向が正方向である状態を示したものである。使用者がプッシュピン３０上のプッシュボタン３１に掛ける力を緩めたとき、プッシュピン３０は第１スプリング６３の弾力を受けて元の位置に戻る。プッシュピン３０の先端にある突起部分３２１が鋼球ボール２２２を押し上げることにより、鋼球ボール２２２が突き出す。このときの押圧部材４２は、図８で示すように、回転方向が逆方向の時と異なる方の押圧部材４２が切換装置４０内の収納槽４１に入っていて、切換装置４０は押圧部材４２のボール４２１の力を受け、定位置に固定されている。従って、ストッパー５０が力を受けて偏る方向が逆方向の時と異なり、駆動体２０が正方向に回転するとき、ストッパー５０は押圧部材４２を押し戻し、ヘッド固定空間２１１の中央の広い部分にその位置を変え、駆動体２０が正方向に回転するのを妨げない。本考案の一実施形態では、プッシュピン３０を押すことにより回転方向およびソケットの離脱という２つの機能を持つに至ったので、操作がより簡単になった。
【００２４】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案登録請求の範囲で指定した内容を基準とする。
【図面の簡単な説明】
【００２５】
【図１】本考案の一実施形態によるソケットレンチの構造を示す立体分解図である。
【図２】本考案の一実施形態によるソケットレンチの構造を示す斜視図である。
【図３】本考案の一実施形態による逆回転時のソケットレンチの構造を示す断面図である。
【図４】本考案の一実施形態による逆回転時のソケットレンチの構造を示す断面図である。
【図５】本考案の一実施形態による逆回転時のソケットレンチの構造を示す断面図である。
【図６】本考案の一実施形態によるソケット離脱時のソケットレンチの構造を示す断面図である。
【図７】本考案の一実施形態によるソケット離脱時のソケットレンチの構造を示す断面図である。
【図８】本考案の一実施形態による正回転時のソケットレンチの構造を示す断面図である。
【図９】本考案の一実施形態による正回転時のソケットレンチの構造を示す断面図である。
【図１０】本考案の一実施形態による正回転時のソケットレンチの構造を示す断面図である。
【符号の説明】
【００２６】
１０    ヘッド部分
１０１  収納空間
２０    駆動体
２１    定位面
２１１  ヘッド固定空間
２１２  貫通孔
２２    駆動塊
２２１  軸孔
２２２  鋼球ボール
３０    プッシュピン
３１    プッシュボタン
３２１  突起部分
３２２  へこみ
３３    プッシュブロック
４０    切換装置
４１    収納槽
４１１  斜面
４２    押圧部材
４２１  ボール
４２２  コイルバネ
４２３  当接柱
５０    ストッパー
５１    固定部材
６１    カバー
６２    リング
６３    第１スプリング
６４    第２スプリング
６５    ソケット
【図１】
0003123425.tif 000003
【図２】
0003123425.tif 000004
【図３】
0003123425.tif 000005
【図４】
0003123425.tif 000006
【図５】
0003123425.tif 000007
【図６】
0003123425.tif 000008
【図７】
0003123425.tif 000009
【図８】
0003123425.tif 000010
【図９】
0003123425.tif 000011
【図１０】
0003123425.tif 000012